(57)【要約】【課題】建物検査に関する記録写真をより効率的に記録し管理することができる建物検査支援装置を実現する。【解決手段】建物検査支援装置１が、Ｉ／Ｆ９を介して、建物の検査すべき検査箇所を撮像した撮像データを取得すると、その撮像データに、その検査箇所の位置を示す検査位置データを対応つけて、記憶部４の結果データ格納領域４６に記憶する。そして、表示部７に表示される検査位置データを示すアイコンが入力操作され選択されることに伴い、その検査位置データに対応する撮像データを表示部７に表示する構成にした。【選択図】図１
2006092274.tif 000002
【特許請求の範囲】
【請求項１】
建物の図面に関する図面情報を記憶する図面情報記憶手段と、
前記建物の検査すべき検査箇所の位置を示す検査位置情報を前記図面情報記憶手段に記憶されている図面情報に対応つけて記憶する検査位置情報記憶手段と、
前記図面情報記憶手段が記憶する図面情報と、前記検査位置情報記憶手段が記憶する検査位置情報を表示する表示手段と、を備える携帯可能な建物検査支援装置であって、
前記検査位置情報記憶手段に記憶されている検査位置情報に対応する検査箇所を撮像した撮像情報を取得する撮像情報取得手段と、
前記撮像情報取得手段により取得された撮像情報を、前記検査位置情報記憶手段に記憶されている検査位置情報に対応つけて記憶する撮像情報記憶手段と、
前記表示手段に表示される前記検査位置情報を選択する所定の入力操作に基づき、前記検査位置情報に対応する前記撮像情報を前記表示手段に表示させる表示制御手段と、
を備えることを特徴とする建物検査支援装置。
【請求項２】
前記建物の検査すべき検査箇所に関する当該建物の設計情報を記憶する設計情報記憶手段を備えるとともに、前記撮像情報記憶手段は、前記撮像情報を、前記検査位置情報記憶手段に記憶されている検査位置情報と、前記設計情報記憶手段に記憶されている設計情報とに対応つけて記憶し、前記表示制御手段は、前記検査位置情報に対応する前記撮像情報と前記設計情報とを前記表示手段に表示させることを特徴とする請求項１に記載の建物検査支援装置。
【請求項３】
前記撮像情報取得手段により取得された撮像情報が、前記検査位置情報記憶手段に記憶されている検査位置情報に対応つけて前記撮像情報記憶手段に記憶されているか否かを示す撮像情報マークを、前記表示手段に表示される前記検査位置情報とともに表示する撮像情報マーク表示制御手段を備えることを特徴とする請求項１又２に記載の建物検査支援装置。
【発明の詳細な説明】
【技術分野】
【０００１】
本発明は、建物検査支援装置に関する。
【背景技術】
【０００２】
従来、マンション等の建物の鉄筋コンクリート工事や、土木工事における鉄筋の配筋検査（建物検査）において、鉄筋の径や本数、位置、間隔、継手、定着状態など、鉄筋が設計通りに正しく配置されているか否かをチェックする場合は、検査者が現場の設計図書（施工図、配筋図）や、配筋に関する検査部位（梁、柱、壁、床、階段など）の部材リストを携帯して現場に行き、所定の検査箇所における検査部位が部材リスト通りに配筋されているか否かを照合するようにして行っていた。
また、現場の設計図書や、配筋に関する検査部位の部材リスト（チェックリスト）等の各種データが記録されている携帯用端末装置を現場に持ち込み、携帯用端末装置の表示部に表示させた設計図書や部材リストに基づき、所定の検査箇所の配筋検査を行い、検査結果を装置に記録する技術が知られている（例えば、特許文献１参照。）。
【０００３】
そして、配筋検査を行った検査部位が、所定の設計通りであった場合に、その検査部位についての部材リストとともに検査者や検査日（撮影者や撮影日）、検査箇所等を記した黒板を写し込むように、その検査部位の配筋の写真を撮影して保存することで、所定の検査箇所における配筋検査が所定通りに行われたという記録や証明とするようになっている。
【特許文献１】特開平１０−２５８９５号公報
【発明の開示】
【発明が解決しようとする課題】
【０００４】
しかしながら、上記従来技術や上記特許文献１の場合、建物検査における配筋検査を行った検査部位の撮影を行う場合、その撮影毎に検査箇所や検査部位に応じた様々な情報を黒板に記入する必要があるため、その撮影作業は煩雑な作業となるので、記録写真を記録することは容易ではなかった。そして、黒板への記入ミスがあると、撮影をやり直さなければならなかった。
また、建物検査における配筋検査を行う検査箇所や検査部位が膨大な箇所となると、撮影した膨大な記録写真の管理が困難となるという問題があった。
【０００５】
本発明の目的は、建物検査に関する記録写真をより効率的に記録し管理することができる建物検査支援装置を提供することである。
【課題を解決するための手段】
【０００６】
以上の課題を解決するため、請求項１記載の発明は、例えば、図１に示す建物検査支援装置（１）であり、
建物の図面に関する図面情報を記憶する図面情報記憶手段（例えば、図面情報ＤＢ４１）と、
前記建物の検査すべき検査箇所の位置を示す検査位置情報を前記図面情報記憶手段に記憶されている図面情報に対応つけて記憶する検査位置情報記憶手段（例えば、検査位置情報ＤＢ４２）と、
前記図面情報記憶手段が記憶する図面情報と、前記検査位置情報記憶手段が記憶する検査位置情報を表示する表示手段（例えば、表示部７）と、を備える携帯可能な建物検査支援装置（１）であって、
前記検査位置情報記憶手段に記憶されている検査位置情報に対応する検査箇所を撮像した撮像情報を取得する撮像情報取得手段（例えば、Ｉ／Ｆ９）と、
前記撮像情報取得手段により取得された撮像情報を、前記検査位置情報記憶手段に記憶されている検査位置情報に対応つけて記憶する撮像情報記憶手段（例えば、結果データ格納領域４６）と、
前記表示手段に表示される前記検査位置情報を選択する所定の入力操作に基づき、前記検査位置情報に対応する前記撮像情報を前記表示手段に表示させる表示制御手段（例えば、ＣＰＵ２、表示制御プログラム４５１）と、
を備えることを特徴とする。
【０００７】
請求項２記載の発明は、請求項１に記載の建物検査支援装置において、
前記建物の検査すべき検査箇所に関する当該建物の設計情報を記憶する設計情報記憶手段（例えば、設計情報ＤＢ４３）を備えるとともに、前記撮像情報記憶手段は、前記撮像情報を、前記検査位置情報記憶手段に記憶されている検査位置情報と、前記設計情報記憶手段に記憶されている設計情報とに対応つけて記憶し、前記表示制御手段は、前記検査位置情報に対応する前記撮像情報と前記設計情報とを前記表示手段に表示させることを特徴とする。
【０００８】
請求項３記載の発明は、請求項１又２に記載の建物検査支援装置において、
前記撮像情報取得手段により取得された撮像情報が、前記検査位置情報記憶手段に記憶されている検査位置情報に対応つけて前記撮像情報記憶手段に記憶されているか否かを示す撮像情報マークを、前記表示手段に表示される前記検査位置情報とともに表示する撮像情報マーク表示制御手段（例えば、ＣＰＵ２、撮像情報マーク表示制御プログラム４５２）を備えることを特徴とする。
【発明の効果】
【０００９】
請求項１記載の発明によれば、検査箇所を撮像した撮像情報は、その検査箇所の位置を示す検査位置情報に対応つけられて、建物検査支援装置の撮像情報記憶手段に記憶される。そして、建物検査支援装置の表示手段に表示される、その検査箇所の位置を示す検査位置情報を選択する操作に基づき、その撮像情報を表示手段に表示させることができる。
つまり、建物検査支援装置は、建物の図面に関する図面情報と、建物における検査箇所の位置を示す検査位置情報と、検査箇所を撮像した撮像情報とを関連付けて記憶することができるとともに、所望する際にその撮像情報を表示することができるので、建物検査に関する記録写真である撮像情報をより効率的に記録し管理することができる。
【００１０】
請求項２記載の発明によれば、請求項１に記載の発明と同様の効果が得られることは無論のこと、特に、検査箇所を撮像した撮像情報は、その検査箇所の位置を示す検査位置情報と、その検査位置情報に応じた設計情報とに対応つけられて、建物検査支援装置の撮像情報記憶手段に記憶される。そして、建物検査支援装置の表示手段に表示される、その検査箇所の位置を示す検査位置情報を選択する操作に基づき、その撮像情報と設計情報とを表示手段に表示させることができる。
つまり、建物検査支援装置は、建物の図面に関する図面情報と、建物における検査箇所の位置を示す検査位置情報と、検査位置情報に対応する設計情報と、検査箇所を撮像した撮像情報とを関連付けて記憶することができるとともに、所望する際にその撮像情報と設計情報とを表示することができるので、建物検査に関する記録写真である撮像情報をより効率的に記録し管理することができる。
特に、建物検査に関する記録写真である撮像情報に、その検査箇所における設計情報を対応つけて記憶するとともに、撮像情報とともにその設計情報を表示することができるので、従来のように、検査終了後に、黒板に検査箇所や設計情報を記入するとともに、その黒板を写し込むように検査箇所を撮像する必要がなくなり、記録写真を撮像する撮像作業を簡便な作業とすることができる。
【００１１】
請求項３記載の発明によれば、請求項１又２に記載の発明と同様の効果が得られることは無論のこと、特に、建物検査支援装置において取得された撮像情報が検査位置情報に対応つけられて撮像情報記憶手段に記憶されている場合には、表示手段に表示される検査位置情報とともに撮像情報マークを表示することができ、撮像情報が検査位置情報に対応つけられて記憶されていない場合には、撮像情報マークを表示しないようにすることができる。
このように、撮像情報が建物検査支援装置の撮像情報記憶手段に記憶されているか否かを、撮像情報マークの表示、非表示により示すことができるので、撮像情報の有無を容易に確認することができる。
【発明を実施するための最良の形態】
【００１２】
以下、図面を参照して本発明にかかる建物検査支援装置について詳細に説明する。本実施の形態における建物検査支援装置１は、例えば、マンション等の建物の検査業務を支援するものであり、タブレットＰＣやＰＤＡ等の検査者が携帯可能な携帯端末等により構成される。
図１に示すように、建物検査支援装置１は、ＣＰＵ２(Central Processing Unit)、ＲＡＭ３(Random Access Memory)、記憶部４、入力部５、音声入力部６、表示部７、計時部８、外部機器と接続するためのインターフェイス（Ｉ／Ｆ）９などを備え、これらはバスＢを介して接続されている。
【００１３】
入力部５は、例えば、キー群５ａ、タッチペン５ｂおよびタブレット５ｃを含んで構成される。
キー群５ａは、カーソルキー、数字キー、機能キー等の各種キーを備え、ユーザにより操作されたキーに対応する操作信号をＣＰＵ２に出力する。
タブレット５ｃは、表示部７と一体に構成され、抵抗膜式、光学式、静電容量式等の各種座標読み取り原理により、ユーザがタッチペン５ｂで表示部７をタッチした座標位置を検出し、その座標位置に応じた入力信号をＣＰＵ２に出力する。
具体的には、表示部７に表示されたメニューバー、アイコン等をタッチペン５ｂでタッチすることによりそのアイコン等を選択したり、キー郡５ａの操作により表示部７に表示されるカーソルやポインターを表示部７に表示されたメニューバー、アイコン等に重ねるなどしてそのアイコン等を選択したりすることにより、その選択されたメニュー項目またはアイコン等に応じた操作を行うことができる。
【００１４】
音声入力部６は、図示しないマイク、音声認識部等によって構成され、マイクから入力されるユーザの音声信号を音声認識部にて音声認識してテキストデータに変換し、変換したテキストデータを音声入力情報としてＣＰＵ２に出力する。
【００１５】
表示部７は、例えば、ＬＣＤ（Liquid Crystal Display）などにより構成されており、ＣＰＵ２の表示制御などに従い、各種データを入力するための入力画面を表示したり、後述する図面データ、検査位置データ、設計データ、撮像データなどを表示画面上に表示することができる表示手段として機能する。
【００１６】
計時部８は、時刻や日付を計時し、計時された時間データ等は、ＣＰＵ２を介してＲＡＭ３に送られて順次更新セットされる。例えば、所定周波数のクロック信号を発振する発振回路（図示省略）と、この発振回路からの信号を分周して所定周波数の信号を得る分周回路（図示省略）と、一秒単位の計時データに変換するための時刻用カウンタ（図示省略）等を備える。
【００１７】
Ｉ／Ｆ９は、この建物検査支援装置１と外部機器（図示省略）間で各種指示信号や情報、データ等を入出力するためのインターフェイスであり、例えば、ＵＳＢ（Universal Serial Bus）ポートやＲＳ−２３２Ｃ端子をはじめとするシリアル入出力端子、パラレル入出力端子、ＳＣＳＩインターフェイス、ＩｒＤＡ（Infrared Data Association）規格に準じた赤外線通信装置等が備えられ、有線または無線通信手段により外部機器と接続することが可能である。そして、後述する記憶部４に記憶されている図面情報ＤＢ４１、検査位置情報ＤＢ４２、設計情報ＤＢ４３の各データを、Ｉ／Ｆ９を介して、例えば、別の施工管理システムに記憶されているデータから取得するようにしてもよい。
特に、Ｉ／Ｆ９は、外部機器であるデジタルカメラなどの撮像装置が撮像した撮像情報を取得する撮像情報取得手段として機能する。
【００１８】
記憶部４は、所定のプログラムやデータなどが予め記憶されるとともに、所定の処理により生じた新たなデータ等を記憶可能な記録媒体４ａを有している。記録媒体４ａは、例えば、磁気的記録媒体、光学的記録媒体、半導体メモリなどで構成されている。記録媒体４ａは、記憶部４に対して、固定的に、或いは着脱自在に設けられている。
【００１９】
記録媒体４ａには、図面情報記憶手段としての図面情報データベース（図面情報ＤＢ）４１、検査位置情報記憶手段としての検査位置情報データベース（検査位置情報ＤＢ）４２、設計情報記憶手段としての設計情報データベース（設計情報ＤＢ）４３等が記憶されている。
また、記録媒体４ａには、建物検査支援処理に使用される各種アプリケーションプログラムなどが記憶されるプログラム格納領域４４、各種アプリケーションプログラムの実行結果などが記憶される結果データ格納領域４６などが設けられている。
【００２０】
なお、記録媒体４ａに記憶されるプログラム、データなどは、その一部または全部が、他の外部装置などから、Ｉ／Ｆ９などを介して取得して、記録媒体４ａに記録されるものとしてもよい。
【００２１】
図面情報ＤＢ４１には、例えば、マンションの各階別の伏図データ（平面図データ、図２参照）が図面に関する図面情報として記憶されている。
この伏図データは、各階の伏図（柱、梁、壁、スラブ等）を示す図面データと、その図面に対応した寸法データ等から構成されている。
なお、この図面データは、設計時におけるＣＡＤデータでもよいし、図面をスキャナ（図示所略）等により取り込んだＢＭＰ形式やＪＰＥＧ形式、ＧＩＦ形式の画像データでもよい。
【００２２】
検査位置情報ＤＢ４２には、例えば、マンションにおける検査すべき検査箇所の位置を示す検査位置データ（図２参照）が検査位置情報として記憶されている。
この検査位置データは、図面情報ＤＢ４１に記憶されている伏図データに対応つけて記憶されており、図面情報ＤＢ４１から伏図データが抽出され、表示部７にその伏図データに基づく伏図１２０（図２参照）が表示されるときには、その検査位置データは伏図１２０上における検査箇所を示す引き出し線、矢印（例えば、アイコン１２１〜１２７；図２参照）のように表示される。
なお、検査箇所は図２に示す７箇所に限定されるものではなく、例えば、マンション等の建物ごと、或いは各階ごとに適宜設定可能なものとする。
【００２３】
設計情報ＤＢ４３には、例えば、図３から図８に示すように、マンションにおける検査すべき検査箇所に関する設計データが設計情報として記憶されている。図３はマンションの基礎の一例である基礎Ｆ１を示す設計データ、図４はマンションにおける基礎梁の一例である基礎梁ＦＧ１、２を示す設計データ、図５はマンションにおける大梁の一例である大梁Ｇ１を示す設計データ、図６はマンションにおける柱の一例である柱Ｃ１を示す設計データ、図７はマンションにおける壁に関する設計データの一例、図８はマンションにおけるスラブ（床）に関する設計データの一例を示すものである。
なお、設計データはこれら部材（基礎、基礎梁、大梁、柱、壁、スラブ（床））に関するものに限定されず、建物検査に必要な部材であれば、これら以外の部材の設計データが記憶されるようになっており、また、各部材毎に形状が異なる様々な部材の設計データ（例えば、部材が柱であれば、柱Ｃ１、Ｃ２、Ｃ３・・・の設計データ）が記憶されるようになっている。
【００２４】
プログラム格納領域４４には、ＣＰＵ２での各種動作を行うためのシステムプログラム、アプリケーションプログラムが記憶されている。具体的には、表示制御プログラム４５１、撮像情報マーク表示制御プログラム４５２等が記憶されている。
【００２５】
結果データ格納領域４６は、Ｉ／Ｆ９を介して取得した、所定の検査箇所を撮像した撮像情報である撮像データを、その検査箇所の位置を示す検査位置データや、その検査位置データに応じた設計データに対応つけて記憶する撮像情報記憶手段として機能する。
【００２６】
ＣＰＵ２は、記憶部４に格納されている各種アプリケーションプログラムやシステムプログラムなどをＲＡＭ３に格納するとともに、各種指示信号や入力データなどに応じて、ＲＡＭ３内に格納したアプリケーションプログラムに従って、各種処理を実行する。また、ＣＰＵ２は、処理結果を一時的にＲＡＭ３に格納するとともに、表示部７に表示する制御を行う。また、ＣＰＵ２は、処理結果情報を記憶部４の結果データ格納領域４６に記憶させる制御も行う。
【００２７】
具体的には、ＣＰＵ２は、Ｉ／Ｆ９を介して取得した、検査位置データに対応する所定の検査箇所を撮像した撮像情報である撮像データを、その検査位置データや、検査位置データに応じた設計データに対応させて、結果データ格納領域４６に記憶させる制御を行う。
【００２８】
また、ＣＰＵ２は、図面情報ＤＢ４１に記憶されている伏図データと、検査位置情報ＤＢ４２に記憶されている検査位置データとを関連付けて表示部７に表示する制御を行う。
【００２９】
また、ＣＰＵ２は、入力部５において行われた所定の入力操作、例えば、表示部７に表示される検査位置データであるアイコン（１２１〜１２７）が選択された操作に基づき、選択された検査位置データに対応する設計データを表示部７に表示させる制御を行う。
また、ＣＰＵ２は、表示部７に表示される検査位置データであるアイコン（１２１〜１２７）が選択された操作に基づき、表示制御プログラム４５１を実行することにより、選択された検査位置データに対応する撮像データや設計データを表示部７に表示させる表示制御手段として機能する。
【００３０】
また、ＣＰＵ２は、撮像情報マーク表示制御プログラム４５２を実行することにより、Ｉ／Ｆ９を介して取得した撮像データが、検査位置データに対応つけて結果データ格納領域４６に記憶されている場合、表示部７に表示される検査位置データであるアイコン（１２１〜１２７）とともに撮像情報マーク（後述する、図１１のアイコン１２４におけるカメラ印１２４ａ）を表示し、撮像データが結果データ格納領域４６に記憶されていない場合、撮像情報マークを表示しないように切り替える、撮像情報マーク表示制御手段として機能する。
【００３１】
次に、建物検査支援装置１による建物検査支援処理について、図面を参照して説明する。
【００３２】
まず、建物検査支援装置１による現場での建物検査作業について、図９に示すフローチャートに基づき説明する。
図９に示すように、表示部７に表示された処理選択表示画面（図示省略）にて「現場検査作業」がタッチペン５ｂにより入力される（ステップＳ１０１）と、ＣＰＵ２は、表示部７に、例えば、図２に示す建物検査画面Ｇ１を表示させる（ステップＳ１０２）。
なお、建物検査画面Ｇ１中、検査位置データであるアイコン１２１〜１２７部分には、その検査箇所が検査されたか否かを示す検査マークが表示されている。例えば、検査が行われていないアイコン部分には赤色の四角マーク、検査は行われたが要再検査となったアイコン部分には黄色の三角マーク、所定の検査が行われ検査終了となったアイコン部分には緑色の丸マークが表示されている。
【００３３】
次いで、建物検査画面Ｇ１に表示された検査位置データである、例えばアイコン１２４がタッチペン５ｂにより入力操作されて選択される（ステップＳ１０３）と、ＣＰＵ２は、表示部７に、アイコン１２４の検査位置データに対応する「柱Ｃ２」の設計データを示すウインドウ１３０が表示される、例えば、図１０に示す建物検査画面Ｇ２を表示させる（ステップＳ１０４）。
【００３４】
次いで、ユーザは、この建物検査画面Ｇ２のウインドウ１３０に表示される設計データを参照して、検査箇所Ｎｏ．４の「柱Ｃ２」の配筋等について検査する。そして、所定の検査を行い、「柱Ｃ２」が設計通りの配筋であることが確認できた場合、ユーザは、検査箇所Ｎｏ．４の「柱Ｃ２」の配筋に関する写真を撮像する。ＣＰＵ２は、この撮像された写真の撮像データをＩ／Ｆ９を介して取得するとともに、その撮像データを、現在選択されているアイコン１２４の検査位置データや、その検査位置データに応じた「柱Ｃ２」の設計データに対応つけて、結果データ格納領域４６に記憶させる（ステップＳ１０５）。
【００３５】
そして、表示部７の表示画面における図示しない「検査終了」がタッチペン５ｂにより入力される（ステップＳ１０６）と、ＣＰＵ２は、表示部７に、例えば、図１１に示す建物検査画面Ｇ３を表示させる（ステップＳ１０７）。
なお、図１１に示す建物検査画面Ｇ３におけるアイコン１２４部分には、検査終了となったことを示す緑色の丸マークとともに、そのアイコン１２４部分の検査位置データに対応つけられた撮像データが記憶されている旨を示す撮像情報マークであるカメラ印１２４ａが表示されるようになっている。
【００３６】
そして、アイコン１２４の検査位置データに対応する「柱Ｃ２」の建物検査は終了する。
なお、他のアイコン部分（検査位置データ）における検査作業についても同様に行うようにすればよい。
【００３７】
次に、建物検査支援装置１における、現場での建物検査作業時に撮像した写真（撮像データ）の確認作業について、図１２に示すフローチャートに基づき説明する。
図１２に示すように、表示部７に表示された処理選択表示画面（図示省略）にて「現場検査作業」がタッチペン５ｂにより入力される（ステップＳ２０１）と、ＣＰＵ２は、表示部７に、例えば、図１１に示す建物検査画面Ｇ３を表示させる（ステップＳ２０２）。
【００３８】
次いで、建物検査画面Ｇ３に表示された検査位置データである、例えばアイコン１２４がタッチペン５ｂにより入力操作されて選択される（ステップＳ２０３）と、ＣＰＵ２は、表示部７に、アイコン１２４の検査位置データに対応する「柱Ｃ２」の撮像データ（写真）を示すウインドウ１４０と、設計データを示すウインドウ１３０が表示される、例えば、図１３に示す建物検査画面Ｇ４を表示させる（ステップＳ２０４）。
【００３９】
そして、表示部７の表示画面における図示しない「検査終了」がタッチペン５ｂにより入力される（ステップＳ２０５）と、ＣＰＵ２は、表示部７に、例えば、図１１に示す建物検査画面Ｇ３を表示させて（ステップＳ２０６）、撮像データ確認処理を終了する。
【００４０】
このように、本発明にかかる建物検査支援装置１によれば、建物検査支援装置１を用いて建物検査を行う際に、建物検査支援装置１の表示部７に表示させたマンション（建物）の伏図や、その伏図における所定の検査箇所の位置を示すアイコン等により、現場（マンション）の検査位置を確認することができる。
また、表示部７に、その検査位置に関する配筋などの設計データを表示させることにより、その設計データと、現場の検査位置における配筋などの施工状態とを比較することができるので、所定の検査位置における配筋などが設計通りであるか否かを検査することができる。
【００４１】
また、建物検査支援装置１において、所定の検査位置に関するアイコン（１２１〜１２７）を操作して選択した状態で、その検査位置の施工状態を撮像装置などにより撮像することにより、撮像された撮像データが、その検査位置をしめす検査位置データや、その検査位置データに応じた設計データに対応つけられて記憶されるようになっている。
つまり、マンション（建物）の検査位置における所定の検査作業が終了したことに伴い、その検査位置の施工状態を撮像することにより、その撮像データに、検査位置をしめす検査位置データや、その検査位置データに応じた設計データを関連付けて記憶することができるで、従来のように、検査終了後に、黒板に検査位置や設計データを記入するとともに、その黒板を写し込むように検査位置を撮像する必要がなくなり、記録写真を撮像する撮像作業を簡便な作業とすることができる。
【００４２】
このように撮像された撮像データは、建物検査支援装置１において、マンション（建物）の伏図とともに記録し、効率的に管理することができるようになる。そして、所望する際に、建物検査支援装置１において、所定の検査位置に関するアイコン（１２１〜１２７）を操作して選択することにより、その検査位置に応じた撮像データを表示部７に表示させることができ、その撮像データを確認することができる。
【００４３】
なお、以上の実施の形態においては、検査位置の記録写真を外部機器である撮像装置により撮像し、その撮像データをＩ／Ｆ９を介して取得するとしたが、本発明はこれに限定されるものではなく、建物検査支援装置１に内蔵される撮像装置により撮像を行うようにしてもよい。
【００４４】
また、図１３に示すように、撮像データ（例えば、ウインドウ１４０）と設計データ（例えば、ウインドウ１３０）とをそれぞれ別体に表示するのでなく、撮像データ中に設計データを合成する処理を施し、撮像データと設計データとを一体に表示するようにし、従来の黒板を写し込んだ写真のように、撮像データを扱うようにしてもよい。
【００４５】
また、その他、具体的な細部構造等についても適宜に変更可能であることは勿論である。
【図面の簡単な説明】
【００４６】
【図１】本発明の実施の形態における建物検査支援装置の要部構成を示すブロック図である。
【図２】建物検査作業画面の一例を示す説明図である。
【図３】建物の基礎に関する設計データの一例を示す説明図であり、一部破断側面図（ａ）と一部破断平面図（ｂ）である。
【図４】建物の基礎梁に関する設計データの一例を示す説明図である。
【図５】建物の大梁に関する設計データの一例を示す説明図である。
【図６】建物の柱に関する設計データの一例を示す説明図である。
【図７】建物の壁に関する設計データの一例を示す説明図である。
【図８】建物の床（スラブ）に関する設計データの一例を示す説明図である。
【図９】現場作業における建物検査処理の一例を説明するためのフローチャートである。
【図１０】建物検査作業画面の一例を示す説明図である。
【図１１】建物検査作業画面の一例を示す説明図である。
【図１２】現場作業における撮像データ確認処理の一例を説明するためのフローチャートである。
【図１３】建物検査作業画面の一例を示す説明図である。
【符号の説明】
【００４７】
１      建物検査支援装置
２      ＣＰＵ（表示制御手段、撮像情報マーク表示制御手段）
３      ＲＡＭ
４      記憶部
５      入力部
７      表示部（表示手段）
９      Ｉ／Ｆ（撮像情報取得手段）
４１    図面情報ＤＢ（図面情報記憶手段）
４２    検査位置情報ＤＢ（検査位置情報記憶手段）
４３    設計情報ＤＢ（設計情報記憶手段）
４６    結果データ格納領域（撮像情報記憶手段）
１２０  伏図（図面情報）
１２１〜１２７  アイコン（検査位置情報）
１２４ａ  カメラ印（撮像情報マーク）
１３０  ウインドウ（設計情報）
１４０  ウインドウ（撮像情報）
４５１  表示制御プログラム（表示制御手段）
４５２  撮像情報マーク表示制御プログラム（撮像情報マーク表示制御手段）
Ｇ１〜Ｇ４  建物検査画面
【図１】
2006092274.tif 000003
【図２】
2006092274.tif 000004
【図３】
2006092274.tif 000005
【図４】
2006092274.tif 000006
【図５】
2006092274.tif 000007
【図６】
2006092274.tif 000008
【図７】
2006092274.tif 000009
【図８】
2006092274.tif 000010
【図９】
2006092274.tif 000011
【図１０】
2006092274.tif 000012
【図１１】
2006092274.tif 000013
【図１２】
2006092274.tif 000014
【図１３】
2006092274.tif 000015